(57)【要約】【課題】両締付片部が変形するのを防止することができ、バッテリーポストに対する保持力を確保することができるバッテリーターミナルを提供する。【解決手段】バッテリーターミナル１０は、電極保持部１１の両端から互いに対向して突出する板状の一対の締付片部１２、１３を備える。一対の締付片部１２、１３には貫通孔１７、１８が設けられ、貫通孔１７、１８にボルト７０が通される。両締付片部１２、１３には、それぞれ、貫通孔１７、１８の周囲から一体に突出する筒状のバーリング部が設けられる。両締付片部１２、１３のうちの一方の締付片部（第１締付片部１２）に設けられたバーリング部（大筒バーリング部２３、バーリング部２３Ａ）の突出端が締付時に他方の締付片部（第２締付片部１３）の板面に対向して配置される。【選択図】図３
2016091753.tif 000002
【特許請求の範囲】
【請求項１】
バッテリーポストを包囲する弧状の電極保持部と、前記電極保持部の両端から互いに対向して突出する板状の一対の締付片部とを備え、前記一対の締付片部にはこれら締付片部を同軸で貫通する貫通孔が設けられ、前記貫通孔にはボルトが通され、前記ボルトの軸部がナットに螺合することにより、前記ボルトの頭部と前記ナットとの間にて両締付片部を接近させ、これによって前記電極保持部を縮径変形させて前記バッテリーポストに固定されるバッテリーターミナルであって、
前記両締付片部には、それぞれ、前記貫通孔の周囲から一体に突出する筒状のバーリング部が設けられ、前記両締付片部のうちの一方の締付片部に設けられたバーリング部の突出端が締付時に他方の締付片部の板面に対向して配置されることを特徴とするバッテリーターミナル。
【請求項２】
前記バーリング部が、前記両締付片部の前記貫通孔の周囲に全周に亘って形成されていることを特徴とする請求項１記載のバッテリーターミナル。
【請求項３】
前記一方の締付片部に設けられたバーリング部の突出端が締付時に前記他方の締付片部の板面に当接して配置されることを特徴とする請求項１又は２記載のバッテリーターミナル。
【請求項４】
前記一方の締付片部に設けられたバーリング部が大筒バーリング部とされ、前記他方の締付片部に設けられたバーリング部が締付時に前記大筒バーリング部内に入り込む小筒バーリング部とされていることを特徴とする請求項１ないし３のいずれか１項記載のバッテリーターミナル。
【請求項５】
前記他方の締付片部に設けられたバーリング部が前記一方の締付片部の位置する側とは反対の外側に向けて突出する形態になっていることを特徴とする請求項１ないし３のいずれか１項記載のバッテリーターミナル。
【発明の詳細な説明】
【技術分野】
【０００１】
本発明は、バッテリーターミナルに関する。
【背景技術】
【０００２】
特許文献１に開示されたバッテリーターミナルは、バッテリーポストを包囲する電極保持部（弧状締付部）と、電極保持部の両端から外側へ互いに対向して突出する一対の締付片部（板状突出部）とを備えている。両締付片部には、これら締付片部を同軸で貫通する貫通孔が設けられている。両締付片部の貫通孔には、ボルトの軸部が通される。ボルトの軸部にナットが螺合され、両締付片部が互いに接近する方向に変位させられることにより、電極保持部が縮径変形してバッテリーポストに固定されるようになっている。
【先行技術文献】
【特許文献】
【０００３】
【特許文献１】特開２０１０−３３７８３号公報
【発明の概要】
【発明が解決しようとする課題】
【０００４】
ところで、上記の場合に、ボルトとナットが過度なトルクで締め付けられ、ボルトの頭部とナットを受ける両締付片部が内側に湾曲変形することがある。仮に、両締付片部が内側に湾曲変形すると、両締付片部が正規の締付位置に至る前にこれら変形部分が干渉して、所定の締め代を得ることができず、結果としてバッテリーポストへの保持力が低下するおそれがある。
【０００５】
本発明は上記のような事情に基づいて完成されたものであって、両締付片部が変形するのを防止することができ、且つ、バッテリーポストに対する保持力を確保することができるバッテリーターミナルを提供することを目的とする。
【課題を解決するための手段】
【０００６】
本発明は、バッテリーポストを包囲する弧状の電極保持部と、前記電極保持部の両端から互いに対向して突出する板状の一対の締付片部とを備え、前記一対の締付片部にはこれら締付片部を同軸で貫通する貫通孔が設けられ、前記貫通孔にはボルトが通され、前記ボルトの軸部がナットに螺合することにより、前記ボルトの頭部と前記ナットとの間にて両締付片部を接近させ、これによって前記電極保持部を縮径変形させて前記バッテリーポストに固定されるバッテリーターミナルであって、前記両締付片部には、それぞれ、前記貫通孔の周囲から一体に突出する筒状のバーリング部が設けられ、前記両締付片部のうちの一方の締付片部に設けられたバーリング部の突出端が締付時に他方の締付片部の板面に対向して配置されるところに特徴を有する。
【発明の効果】
【０００７】
両締付片部の貫通孔の周囲には筒状のバーリング部が一体に設けられているため、締付時に両締付片部が湾曲変形するのが回避される。
仮に、締付時に両締付片部に設けられたバーリング部の突出端同士が突き合う構成であると、両締付片部の板面間に、少なくとも両バーリング部の突出寸法を加算したクリアランスが形成されることになるため、両締付片部の板面間の離間距離が大きくなりすぎて、バッテリーポストを保持するに足る締め代を得ることができなくなるおそれがある。その点、上記構成によれば、一方の締付片部に設けられたバーリング部の突出端が締付時に他方の締付片部の板面に対向して配置されるため、両バーリング部の突出端同士が互いに突き合う構成とはならず、両締付片部の板面間の離間距離が大きくなりすぎることがない。その結果、バッテリーポストに対する所定の保持力を確保することができる。
【図面の簡単な説明】
【０００８】
【図１】本発明の実施例１において、ボルトとナットの締め付けがなされる前のバッテリーターミナルの平面図である。
【図２】ボルトとナットの締め付けにより、バッテリーポストに取り付けられたバッテリーターミナルの平面図である。
【図３】図２の状態におけるバッテリーターミナルの断面図である。
【図４】図２の状態におけるバッテリーターミナルの正面図である。
【図５】バッテリーターミナルの側面図である。
【図６】本発明の実施例２において、ボルトとナットの締め付けにより、バッテリーポストに取り付けられたバッテリーターミナルの断面図である。
【発明を実施するための形態】
【０００９】
本発明の好ましい実施形態を以下に示す。
前記バーリング部が、前記両締付片部の前記貫通孔の周囲に全周に亘って形成されているところに特徴を有する。これにより、締付時に両締付片部が湾曲変形する事態がより確実に回避される。
【００１０】
前記一方の締付片部に設けられたバーリング部の突出端が締付時に前記他方の締付片部の板面に当接して配置される。これによれば、ボルトとナットが過度に締め付けられようとしても、一方の締付片部に設けられたバーリング部の突出端が他方の締付片部の板面に当接することでそれ以上の締め付けを防止することができる。
【００１１】
前記一方の締付片部に設けられたバーリング部が大筒バーリング部とされ、前記他方の締付片部に設けられたバーリング部が締付時に前記大筒バーリング部内に入り込む小筒バーリング部とされている。これによれば、両締付片部の板面間に、大筒バーリングの突出寸法分のクリアランスをあけた状態で、大筒バーリングと小筒バーリングとを配置させることができ、両締付片部間のクリアランスを有効に利用することができる。
また、他方の締付片部の端部に、一方の締付片部との間隔を保持する間隔保持構造（後述する実施例１の第３屈曲部に相当）が設けられている場合には、この間隔保持構造と小筒バーリング部との間に金型の設置スペースを確保しなければならないが、小筒バーリング部が大筒バーリング部よりも小径である分、設置スペースを支障なく確保することができる。
【００１２】
前記他方の締付片部に設けられたバーリング部が前記一方の締付片部の位置する側とは反対の外側に向けて突出する形態になっている。こうすると、両バーリング部が実質的に互いに影響を及ぼさない位置に配置されることになるため、両バーリング部の突出寸法及び径寸法を設定する際の自由度が高められる。
【００１３】
＜実施例１＞
以下、本発明の実施例１を図１〜図５に基づいて説明する。本実施例１のバッテリーターミナル１０は、導電性の金属板を曲げ加工等して一体に成形され、図１に示すように、バッテリーポスト９０を包囲する弧状、詳細には平面視Ｃ字形の電極保持部１１と、電極保持部１１の両端（両端開口縁）から前方（図１の下方）へ互いに対向して突出する板状の一対の締付片部１２、１３と、両締付片部１２、１３が位置する側とは反対側の端部から後方（図１の上方）へ突出するバレル状の電線接続部１４とを備えている。
【００１４】
図４に示すように、バッテリーポスト９０は、上方へ向けて僅かに縮径した円錘台形状をなし、バッテリー本体９１の上面に立設されている。図２及び図４に示すように、電極保持部１１は、帯板状をなし、バッテリーポスト９０の外周面を覆って抱持可能とされている。
【００１５】
図５に示すように、電線接続部１４は、電極保持部１１の後部上端から後方へ突出する形態とされ、電線８０の端末の導体部８１に圧着により接続されている。電線８０は、電線接続部１４から後方へ延出して配索されている。図２に示すように、電線接続部１４と両締付片部１２、１３は、電線８０の配索方向（図１の上下方向であって、ここでは前後方向）に同軸上に並んで配置されている。
【００１６】
両締付片部１２、１３は、それぞれ、側面視略矩形（図５を参照）の平板状の座部１５、１６を有している。図４に示すように、両座部１５、１６は、バッテリーポスト９０の軸方向（上下方向）に沿って互いに略平行に配置されている。両座部１５、１６の中央部には、これら座部１５、１６を左右方向（座部１５、１６の板厚方向であって、後述するボルト７０の軸方向）に同軸で貫通する円形の貫通孔１７、１８が設けられている。両締付片部１２、１３のうち、図３の向かって左側の締付片部（一方の締付片部であって、以下、第１締付片部１２という）の座部１５に設けられた貫通孔（以下、第１貫通孔１７という）は、図３の向かって右側の締付片部（他方の締付片部であって、以下、第２締付片部１３という）の座部１６に設けられた貫通孔（以下、第２貫通孔１８という）よりも大径に形成されている。
【００１７】
図３に示すように、両貫通孔１７、１８には、第２締付片部１３の位置する側から第１締付片部１２の位置する側へ向けてボルト７０の軸部７１が挿通されるようになっている。ボルト７０の軸部７１は、第１貫通孔１７から外側（両締付片部が互いに向き合う側とは反対側であって、図３の左側）に突出し、第１締付片部１２の座部１５の外面に設置されたナット６０に螺合可能とされている。そして、ボルト７０とナット６０が締め付けられることにより、ボルト７０の頭部７２とナット６０との間に挟まれた両締付片部１２、１３が互いに接近する方向に変位させられ、それとともに電極保持部１１が縮径変形させられ、もってバッテリーポスト９０に電極保持部１１が固定されるようになっている。
【００１８】
図４及び図５に示すように、第１締付片部１２は、その上下両端部を外側へ略直角に屈曲させてなる一対の第１屈曲部１９を有している。両第１屈曲部１９は、座部１５の上下両端の全縁から外側に張り出す板片状の形態とされている。両第１屈曲部１９間には、第１締付片部１２の座部１５の外面に設置されたナット６０が挟持されるように配置されている。また、両第１屈曲部１９は、後述する大筒バーリング部２３とともに、第１締付片部１２を補強する役割を有している。
【００１９】
図４に示すように、第２締付片部１３は、その上端部を外側（両締付片部１２、１３が互いに向き合う側とは反対側であって、図４の右側）へ略直角に屈曲させてなる第２屈曲部２１を有している。図２に示すように、第２屈曲部２１は、座部１６の上端の全縁から外側へ向けて第１屈曲部１９よりも大きい張出量をもって張り出す板片状の形態とされている。そして、第２屈曲部２１は、第２締付片部１３の座部１６の外面に設置されたボルト７０の頭部７２に当接可能とされている。
【００２０】
また、図４に示すように、第２締付片部１３は、その下端部を内側（両締付片部１２、１３が互いに向き合う側であって、図４の左側）へ略直角に屈曲させてなる第３屈曲部２２を有している。第３屈曲部２２は、座部１６の下端の全縁から内側へ向けて第１屈曲部１９よりも小さい張出量をもって張り出す板片状の形態とされている。第３屈曲部２２は、ボルト７０とナット６０の締付時に両締付片部１２、１３の座部１５、１６の内面間（対向面間）を一定のクリアランスに保つ役割を有している。また、第２屈曲部２１及び第３屈曲部２２は、後述する小筒バーリング部２４とともに、第２締付片部１３を補強する役割を有している。
【００２１】
さて、図１及び図３に示すように、両締付片部１２、１３は、それぞれ、バーリング加工により貫通孔１７、１８の開口縁から内側（両締付片部１２、１３が互いに向き合う側）に曲げ起こされてなるバーリング部２３、２４を有している。両締付片部１２、１３のうち、第１締付片部１２には、第１貫通孔１７の開口径に対応した大径の大筒バーリング部２３が設けられ、第２締付片部１３には、第２貫通孔１８の開口径に対応した小径の小筒バーリング部２４が設けられている。
【００２２】
大筒バーリング部２３は、第１締付片部１２の座部１５から第２締付片部１３側へ向けてボルト７０の軸方向（図１〜図４の左右方向）に沿って突出する円筒状をなし、第１貫通孔１７の全周に亘って形成されている（図５を参照）。小筒バーリング部２４は、第２締付片部１３の座部１６から第１締付片部１２側へ向けてボルト７０の軸方向に沿って突出する円筒状をなし、第２貫通孔１８の全周に亘って形成されている（同じく図５を参照）。小筒バーリング部２４と第３屈曲部２２（リブ）との間には、成形用金型の設置スペースが確保されている。
【００２３】
図３に示すように、大筒バーリング部２３の内径は、小筒バーリング部２４の外径よりも大きくされている。そして、小筒バーリング部２４の内径は、ボルト７０の軸部７１の外径よりも大きくされている。また、大筒バーリング部２３の突出寸法は、第３屈曲部２２の張出量とほぼ同一とされている。さらに、大筒バーリング部２３の突出寸法は、小筒バーリング部２４とほぼ同一とされている。さらにまた、大筒バーリング部２３と小筒バーリング部２４は、ボルト７０の軸方向に同心状に並んで配置されている。
【００２４】
次に、バッテリーポスト９０にバッテリーターミナル１０を取り付ける方法を説明する。
バッテリーターミナル１０の取り付けに先立ち、両締付片部１２、１３の貫通孔１７、１８にボルト７０の軸部７１を通し、第１締付片部１２の座部１５の外面に設置されたナット６０に軸部７１を緩く螺合しておく。その状態で、バッテリーポスト９０に上方からバッテリーターミナル１０の電極保持部１１を被せる。このとき、電極保持部１１は、バッテリーポスト９０に遊嵌され、大筒バーリング部２３と小筒バーリング部２４は、ボルト７０の軸方向に互いに間隔をあけて配置される。
【００２５】
続いて、ナット６０にボルト７０の軸部７１を深くねじ込む。すると、両締付片部１２、１３が互いに接近して、電極保持部１１が次第に縮径変形させられる。図２〜図４に示すように、ボルト７０とナット６０が正規に締め付けられると、電極保持部１１がバッテリーポスト９０の外周面に周方向に沿うように当接して、電極保持部１１がバッテリーポスト９０に固定される。その結果、バッテリーターミナル１０がバッテリーポスト９０に取り付けられて保持される。
【００２６】
図２〜図４に示すように、ボルト７０とナット６０が正規に締め付けられた状態では、大筒バーリング部２３の突出端が第２締付片部１３の座部１６の内面に対向して当接するとともに、第３屈曲部２２の突出端が第１締付片部１２の座部１５の内面に当接可能に配置され、これによって両締付片部１２、１３のそれ以上の接近動作が規制される。また、大筒バーリング部２３内に小筒バーリング部２４が入り込み、両バーリング部２３、２４が互いに干渉するのが回避される。このとき、大筒バーリング部２３の内周面と小筒バーリング部２４の外周面との間には径方向に若干の隙間があけられる。
【００２７】
上記構成によれば、ボルト７０とナット６０が過度に締め付けられようとしても、大筒バーリング部２３の突出端が第２締付片部１３の座部１６の内面に当接することで、ボルト７０とナット６０のそれ以上の締め付けが阻止される。とくに、両締付片部１２、１３の貫通孔１７、１８の周囲に、全周に亘って両バーリング部２３、２４が形成されているため、ボルト７０とナット６０の締付時のトルクに起因して両バーリング部２３、２４が内側へ湾曲変形する等といった事態が回避される。
【００２８】
また、締付時に大筒バーリング部２３内に小筒バーリング部２４が入り込むため、両締付片部１２、１３の内面間のクリアランスが大筒バーリング部２３によって規定されることになり、両締付片部１２、１３の内面間のクリアランスが有効に利用される。また、このような構成であれば、両締付片部１２、１３間の内面間のクリアランスが過剰に大きくなることがなく、バッテリーポスト９０に対する所定の保持力を得ることができる。
【００２９】
＜実施例２＞
図６は、本発明の実施例２を示す。本実施例２のバッテリーターミナル１０Ａは、両締付片部１２Ａ、１３Ａのバーリング部２３Ａ、２４Ａの形態が実施例１と異なる。その他は、実施例１と同様であるため、実施例１と同様又は相当する構造には同一符号を付し、重複する説明を省略する。
【００３０】
両締付片部１２Ａ、１３Ａの貫通孔１７Ａ、１８Ａは、互いに同一の開口径を有し、ボルト７０の軸部７１の外径より少し大きい開口径で構成されている。両締付片部１２Ａ、１３Ａのうち、第１締付片部１２Ａに設けられたバーリング部２３Ａは、実施例１の大筒バーリング部２３よりも一回り小さいサイズになっているものの、大筒バーリング部２３と同様、第１締付片部１２Ａの座部１５Ａから第２締付片部１３Ａ側へ向けてボルト７０の軸方向（図６の左右方向）に沿って突出する円筒状をなし、第１貫通孔１７Ａの全周に亘って形成されている。
【００３１】
第２締付片部１３Ａに設けられたバーリング部２４Ａは、実施例１の小筒バーリング部２４とは逆に、第２貫通孔１８Ａの開口縁から第１締付片部１２Ａ側とは反対の外側（図６の右側）へ向けて曲げ起こされてなるものであって、第２締付片部１３Ａの座部１６Ａから外側へ向けてボルト７０の軸方向に沿って突出する円筒状をなし、第２貫通孔１８Ａの全周に亘って形成されている。
【００３２】
ここで、ボルト７０とナット６０が正規に締め付けられると、第１締付片部１２Ａに設けられたバーリング部２３Ａが第２締付片部１３Ａの座部１６Ａの内面に当接して、両締付片部１２Ａ、１３Ａの内面間のクリアランスが一定に保たれる。この点は、実施例１と同様である。一方、第２締付片部１３Ａに設けられたバーリング部２４Ａは、締付時に両締付片部１２Ａ、１３Ａの内面間には位置せず、第２締付片部１３Ａの座部１６Ａを挟んで第１締付片部１２Ａのバーリング部２３Ａが位置する側とは反対側となる外側に突出して配置される。したがって、本実施例２によれば、両バーリング部２３Ａ、２４Ａが形成位置等に関して相互に影響を及ぼし合うことがないため、両バーリング部２３Ａ、２４Ａの突出寸法や径寸法を設定する際の自由度が高められる。
【００３３】
＜他の実施例＞
以下、他の実施例を簡単に説明する。
（１）実施例１及び実施例２において、締付時に第１締付片部に設けられたバーリング部（実施例１の場合は大筒バーリング部）の突出端が、第２締付片部の座部の内面に当接せず、単に対向して配置されるものであってもよい。
（２）実施例１では、締付時に大筒バーリング部の内周面に小筒バーリング部の外周面が当接して配置されるものであってもよい。この場合に、両締付片部の接近動作が大筒バーリング部と小筒バーリング部との嵌め合いによってガイドされるようにするとよい。
（３）実施例１において、締付時に小筒バーリング部の突出端は、第１貫通孔に進入する位置にあってもよく、あるいは、大筒バーリング部内に留まる位置にあってもよい。
（４）両締付片部から第１屈曲部、第２屈曲部及び第３屈曲部の全部又は一部を必要に応じて省略してもよい。
（５）両締付片部は、バッテリーポストの軸方向（図４の上下方向）に対して傾斜して配置されるものであってもよい。
【符号の説明】
【００３４】
１０…バッテリーターミナル
１１…電極保持部
１２、１２Ａ…第１締付片部（一方の締付片部）
１３、１３Ａ…第２締付片部（他方の締付片部）
１７、１７Ａ…第１貫通孔（一方の締付片部の貫通孔）
１８、１８Ａ…第２貫通孔（他方の締付片部の貫通孔）
２３…大筒バーリング部
２４…小筒バーリング部
２３Ａ…第１締付片部のバーリング部
２４Ａ…第２締付片部のバーリング部
６０…ナット
７０…ボルト
７１…軸部
７２…頭部
９０…バッテリーポスト
【図１】
2016091753.tif 000003
【図２】
2016091753.tif 000004
【図３】
2016091753.tif 000005
【図４】
2016091753.tif 000006
【図５】
2016091753.tif 000007
【図６】
2016091753.tif 000008